(57)【要約】【課題】ＯＦＤＭ復調のキャリア毎の空間ダイバーシティにおいて、ＡＧＣによる電力嵩上げの結果、実際の受信電力を反映しない信頼性値算出が行われ、Ｃ／Ｎの悪いキャリアの選択や合成により却って特性が悪化する問題があった。【解決手段】チューナ１０５、１０６のゲインをコントロールするＡＧＣ部１０７、１０８とが備わる受信装置において、高速フーリエ変換部１１３、１１４の出力信号を等化する等化部１１５、１１６と、信頼性算出部１２５、１２６とを設け、パイロット信号から各キャリアの信頼性を算出する。そして信頼性値補正部６０９、６２０でＡＧＣ部１０７、１０８の出力情報により信頼性値を補正する。キャリア選択・合成部１２７は補正された信頼性値に従ってブランチのキャリアを選択又は重み付け合成する。【選択図】　　　　図１
2004135120.tif 000002
【特許請求の範囲】
【請求項１】
複数のキャリアに周期的にパイロット信号が挿入された直交周波数分割多重（以下、ＯＦＤＭ）信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部が出力するパイロット信号及び前記ＡＧＣ部が出力するＡＧＣ値から各キャリアの信頼性値を算出するブランチ毎の信頼性値算出部と、
前記信頼性値算出部の信頼性値に従って、キャリア毎にキャリアの選択又は重み付け合成するキャリア選択・合成部と、を具備することを特徴とするダイバーシティ受信装置。
【請求項２】
複数のキャリアに周期的にパイロット信号が挿入された直交周波数分割多重（以下、ＯＦＤＭ）信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部が出力するパイロット信号から各キャリアの信頼性値を算出するブランチ毎の信頼性値算出部と、
前記ＡＧＣ部のＡＧＣ値により、前記信頼性値算出部で算出された信頼性値を補正する信頼性値補正部と、
前記信頼性値補正部の補正信頼性値に従って、キャリア毎にキャリアの選択又は重み付け合成するキャリア選択・合成部と、を具備することを特徴とするダイバーシティ受信装置。
【請求項３】
前記信頼性値補正部は、
前記ブランチ毎に前記ＡＧＣ部のＡＧＣ値及び前記信頼性値算出部の信頼性値を所定の補正テーブルに入力し、前記補正テーブルに基づいて前記信頼性値を補正することを特徴とする請求項２記載のダイバーシティ受信装置。
【請求項４】
前記信頼性値補正部は、
前記ＡＧＣ部のＡＧＣ値から判断される受信電力が所定の基準値より低いブランチのキャリアに対しては、当該キャリアの信頼性値を０に消失させる補正を行うことを特徴とする請求項２又は３記載のダイバーシティ受信装置。
【請求項５】
複数のキャリアに周期的にパイロット信号が挿入されたＯＦＤＭ信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対してパイロット信号を用いて等化すると共に、キャリアの伝送路特性を推定するブランチ毎の等化部と、
前記等化部が出力するパイロット信号から前記各キャリアの信頼性値を算出するブランチ毎の信頼性値算出部と、
前記ＡＧＣ部のＡＧＣ値から受信電力が所定の基準値より低いと判断されるブランチのキャリアを除外し、前記受信電力が所定の基準値以上の場合はキャリア毎にキャリアの選択又は重み付け合成をするキャリア選択・合成部と、を具備することを特徴とするダイバーシティ受信装置。
【請求項６】
複数のキャリアに周期的にパイロット信号が挿入されたＯＦＤＭ信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対してパイロット信号を用いて等化すると共に、キャリアの伝送路特性を推定するブランチ毎の等化部と、
ブランチ毎の前記ＡＧＣ値を比較し、ＡＧＣ値の差分値を出力する比較部と、
前記等化部が出力するパイロット信号、及び前記比較部の出力するＡＧＣ値の差分値に基づいて各キャリアの信頼性値を算出するブランチ毎の信頼性値算出部と、
前記信頼性値算出部の信頼性値に従って、キャリア毎にキャリアの選択又は重み付け合成するキャリア選択・合成部と、を具備することを特徴とするダイバーシティ受信装置。
【請求項７】
複数のキャリアに周期的にパイロット信号が挿入されたＯＦＤＭ信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対してパイロット信号を用いて等化すると共に、キャリアの伝送路特性を推定するブランチ毎の等化部と、
前記ブランチ毎のＡＧＣ値を比較し、前記ＡＧＣ値の差分値が所定の閾値以上であるか否かを比較して比較結果を出力する比較部と、
前記等化部の出力するパイロット信号を用いて各キャリアの信頼性値を算出する信頼性値算出部と、
前記比較部の比較結果に基づいて前記ＡＧＣ差分値で前記信頼性値算出部の信頼性値を補正する信頼性値補正部と、
前記信頼性補正部の補正信頼性値に従って、キャリア毎にキャリアの選択又は重み付け合成するキャリア選択・合成部と、を具備することを特徴とするダイバーシティ受信装置。
【請求項８】
前記信頼性値補正部は、
前記比較部から出力された前記ＡＧＣ値の差分値及び前記信頼性値算出部の出力を所定の補正テーブルに入力し、前記補正テーブルに基づいて前記信頼性値を補正することを特徴とする請求項７記載のダイバーシティ受信装置。
【請求項９】
前記信頼性値補正部は、
前記比較部から出力された前記ＡＧＣ値の差分値が所定の閾値以上の場合に、相対的に受信電力の低いブランチの信頼性値を０に消失させる補正を行うことを特徴とする請求項７又は８記載のダイバーシティ受信装置。
【請求項１０】
複数のキャリアに周期的にパイロット信号が挿入されたＯＦＤＭ信号を受信する２以上のブランチからなるダイバーシティ受信装置であって、
前記ＯＦＤＭ信号を受信するチューナの利得を制御すると共に、利得制御におけるＡＧＣ値を出力するブランチ毎のＡＧＣ部と、
前記チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対してパイロット信号を用いて等化すると共に、キャリアの伝送路特性を推定するブランチ毎の等化部と、
前記ブランチ毎のＡＧＣ値を比較し、ＡＧＣ値の差分値が所定の閾値以上であるか否かを比較し、比較結果を出力する比較部と、
前記等化部が出力するパイロット信号から前記各キャリアの信頼性値を算出するブランチ毎の信頼性値算出部と、
前記比較部で出力された前記ＡＧＣ値の差分値が所定の閾値以上と判定された場合に、相対的に受信電力の低いブランチのキャリアを除外し、前記差分値が所定の閾値未満の場合には、前記信頼性値算出部の信頼性値を用いてキャリアの選択又は重み付け合成を行うキャリア選択・合成部と、を具備することを特徴とするダイバーシティ受信装置。
【請求項１１】
複数のキャリアに周期的にパイロット信号が挿入されたＯＦＤＭ信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部の出力するキャリアを用いてＣ／Ｎ値を算出するブランチ毎のＣ／Ｎ算出部と、
前記等化部の出力するパイロット信号、及び前記Ｃ／Ｎ算出部の出力するＣ／Ｎ値を用いて各キャリアの信頼性値を算出するブランチ毎の信頼性値算出部と、
前記信頼性値算出部の信頼性値に従ってキャリア毎にキャリアの選択又は重み付け合成をするキャリア選択・合成部と、を具備することを特徴とするダイバーシティ受信装置。
【請求項１２】
複数のキャリアに周期的にパイロット信号が挿入された直交周波数分割多重（以下、ＯＦＤＭ）信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部の出力するキャリアを用いてＣ／Ｎ値を算出するブランチ毎のＣ／Ｎ算出部と、
前記等化部の出力するパイロット信号を用いて各キャリアの信頼性値を算出するブランチ毎の信頼性値算出部と、
前記Ｃ／Ｎ算出部のＣ／Ｎ値に基づいて前記信頼性値算出部の信頼性値を補正する信頼性値補正部と、
前記信頼性値補正部の補正信頼性値に従って、キャリア毎にキャリアの選択又は重み付け合成をするキャリア選択・合成部と、を具備することを特徴とするダイバーシティ受信装置。
【請求項１３】
前記信頼性値補正部は、
前記Ｃ／Ｎ算出部のＣ／Ｎ値、及び前記信頼性値算出部の信頼性値を所定の補正テーブルに入力し、前記補正テーブルに従って前記信頼性値を補正することを特徴とする請求項１２記載のダイバーシティ受信装置。
【請求項１４】
前記信頼性値補正部は、
前記Ｃ／Ｎ値が所定の基準値より低いブランチの信頼性値を０に消失させる補正を行うことを特徴とする請求項１２又は１３記載のダイバーシティ受信装置。
【請求項１５】
複数のキャリアに周期的にパイロット信号が挿入されたＯＦＤＭ信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部の出力するキャリアを用いてＣ／Ｎ値を算出するブランチ毎のＣ／Ｎ算出部と、
前記等化部の出力するパイロット信号を用いて各キャリアの信頼性値を算出するブランチ毎の信頼性値算出部と、
前記Ｃ／Ｎ算出部で算出されたＣ／Ｎ値が所定の基準値より低いブランチのキャリアを除外し、前記Ｃ／Ｎ値が所定の基準値より高い場合には、前記信頼性値算出部の信頼性値に従ってキャリア毎にキャリアの選択又は重み付け合成をするキャリア選択・合成部と、を具備することを特徴とするダイバーシティ受信装置。
【請求項１６】
複数のキャリアに周期的にパイロット信号が挿入されたＯＦＤＭ信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対してパイロット信号を用いて等化すると共に、キャリアの伝送路特性を推定するブランチ毎の等化部と、
前記等化部の出力するキャリアを用いてＣ／Ｎ値を算出するブランチ毎のＣ／Ｎ算出部と、
ブランチ毎の前記Ｃ／Ｎ値を比較し、Ｃ／Ｎ値の差分値を出力する比較部と、前記等化部が出力するパイロット信号、及び前記比較部の出力するＣ／Ｎ値の差分値に基づいて各キャリアの信頼性値を算出するブランチ毎の信頼性値算出部と、
前記信頼性値算出部の信頼性値に従って、キャリア毎にキャリアの選択又は重み付け合成するキャリア選択・合成部と、を具備することを特徴とするダイバーシティ受信装置。
【請求項１７】
複数のキャリアに周期的にパイロット信号が挿入されたＯＦＤＭ信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部の出力するキャリアを用いてＣ／Ｎ値を算出するブランチ毎のＣ／Ｎ算出部と、
前記Ｃ／Ｎ算出部の出力を用いてブランチ毎のＣ／Ｎ値を比較する比較部と、
前記等化部の出力するパイロット信号を用いて前記各キャリアの信頼性値を算出するブランチ毎の信頼性値算出部と、
前記比較部によりＣ／Ｎ差分値が閾値を越えると判定された場合には、前記信頼性値算出部により算出された前記信頼性値を前記Ｃ／Ｎ差分値を用いて補正する信頼性値補正部と、
前記信頼性値補正部の補正信頼性値に従って、キャリア毎にキャリアの選択又は重み付け合成をするキャリア選択・合成部と、を具備することを特徴とするダイバーシティ受信装置。
【請求項１８】
前記信頼性値補正部は、
前記Ｃ／Ｎ算出部で得られたＣ／Ｎ差分値及び前記信頼性値算出部の出力を所定の補正テーブルに入力し、前記補正テーブルに従って前記信頼性値を補正することを特徴とする請求項１６記載のダイバーシティ受信装置。
【請求項１９】
前記信頼性値補正部は、
前記Ｃ／Ｎ値が相対的に悪いブランチの信頼性値を０に消失させる補正を行うことを特徴とする請求項１７又は１８記載のダイバーシティ受信装置。
【請求項２０】
複数のキャリアに周期的にパイロット信号が挿入されたＯＦＤＭ信号を受信する２以上のブランチからなるダイバーシティ受信装置であって、
チューナで得られたＯＦＤＭ信号を直交検波するブランチ毎の直交検波部と、
前記直交検波部で得られた直交検波出力を高速フーリエ変換により、時間領域から周波数領域へ変換することでパイロット信号を含む各キャリアを出力するブランチ毎の高速フーリエ変換部と、
前記高速フーリエ変換部で得られた各キャリアに対して前記パイロット信号を用いて等化すると共に、キャリアの伝送路特性を推定するブランチ毎の等化部と、
前記等化部の出力するパイロット信号を用いて各キャリアの信頼性値を算出するブランチ毎の信頼性値算出部と、
前記等化部の出力するキャリアを用いてＣ／Ｎ値を算出するブランチ毎のＣ／Ｎ算出部と、
前記Ｃ／Ｎ算出部の出力からブランチ毎のＣ／Ｎ値を比較する比較部と、
前記比較部により前記Ｃ／Ｎ差分値が閾値以上と判定された場合には、所定の基準値より相対的にＣ／Ｎ値の悪いブランチのキャリアを除外し、前記Ｃ／Ｎ差分値が閾値未満の場合には、前記信頼性値算出部の信頼性値に従ってキャリア毎にキャリアの選択又は重み付け合成をするキャリア選択・合成部と、を具備することを特徴とするダイバーシティ受信装置。
【請求項２１】
複数のキャリアに周期的にパイロット信号が挿入されたＯＦＤＭ信号を受信する２以上のブランチからなるダイバーシティ受信方法であって、
前記ＯＦＤＭ信号を受信するチューナのゲインをコントロールするＡＧＣ信号をブランチ毎に出力し、
前記ＯＦＤＭ信号をブランチ毎に直交検波し、
前記直交検波出力を高速フーリエ変換によりブランチ毎に時間領域から周波数領域へ変換し、
前記高速フーリエ変換により得られたパイロット信号を含むキャリアをブランチ毎に等化し、
前記パイロット信号からブランチ毎に各キャリアの信頼性値を算出し、
前記ＡＧＣ信号に基づいてブランチ毎に前記信頼性値を補正し、
前記補正された信頼性値に従ってキャリアを選択又は重み付け合成するキャリア選択・合成を行うことを特徴とするダイバーシティ受信方法。
【請求項２２】
複数のキャリアに周期的にパイロット信号が挿入されたＯＦＤＭ信号を受信する２以上のブランチからなるダイバーシティ受信方法であって、
前記ＯＦＤＭ信号を受信するチューナのゲインをコントロールするＡＧＣ信号をブランチ毎に出力し、
前記ＯＦＤＭ信号をブランチ毎に直交検波し、
前記直交検波出力を高速フーリエ変換によりブランチ毎に時間領域から周波数領域へ変換し、
前記高速フーリエ変換により得られたパイロット信号を含むキャリアをブランチ毎に等化し、
前記パイロット信号からブランチ毎に各キャリアの信頼性値を算出し、
前記ＡＧＣ信号を比較し、比較結果が所定の閾値以上であるか否かを判定し、
前記比較結果が閾値以上の場合に前記信頼性値を前記ＡＧＣ信号に基づいてブランチ毎に補正し、
前記補正された信頼性値に従ってキャリアを選択又は重み付け合成するキャリア選択・合成を行うことを特徴とするダイバーシティ受信方法。
【請求項２３】
複数のキャリアに周期的にパイロット信号が挿入されたＯＦＤＭ信号を受信する２以上のブランチからなるダイバーシティ受信方法であって、
前記ＯＦＤＭ信号をブランチ毎に直交検波し、
前記直交検波出力を高速フーリエ変換によりブランチ毎に時間領域から周波数領域へ変換し、
前記高速フーリエ変換により得られたパイロット信号を含むキャリアをブランチ毎に等化し、
前記パイロット信号からブランチ毎に各キャリアの信頼性値を算出し、
前記等化出力からＣ／Ｎ値をブランチ毎に算出し、
前記Ｃ／Ｎ値で前記信頼性値をブランチ毎に補正し、
前記補正された信頼性値に従ってキャリアを選択又は重み付け合成するキャリア選択・合成を行うことを特徴とするダイバーシティ受信方法。
【請求項２４】
複数のキャリアに周期的にパイロット信号が挿入されたＯＦＤＭ信号を受信する２以上のブランチからなるダイバーシティ受信方法であって、
前記ＯＦＤＭ信号をブランチ毎に直交検波し、
前記直交検波出力を高速フーリエ変換によりブランチ毎に時間領域から周波数領域へ変換し、
前記高速フーリエ変換により得られたパイロット信号を含むキャリアをブランチ毎に等化し、
前記パイロット信号からブランチ毎に各キャリアの信頼性値を算出し、
前記等化出力からＣ／Ｎ値をブランチ毎に算出し、
各ブランチの前記Ｃ／Ｎ値を比較し、
前記比較結果が所定の閾値を超えるか否かを判定すると共に、前記閾値を越える場合に前記信頼性値を前記比較結果によりブランチ毎に補正し、
前記補正された信頼性値に従ってキャリアを選択又は重み付け合成するキャリア選択・合成を行うことを特徴とするダイバーシティ受信方法。
【請求項２５】
周波数分割多重信号を受信する２以上のブランチからなるダイバーシティ受信装置において、
前記周波数分割多重信号を増幅するブランチ毎の増幅部と、
前記増幅部の周波数分割多重信号に含まれる複数のキャリアを抽出するブランチ毎の変換部と、
前記変換部の出力を検波するブランチ毎の復調部と、
前記復調部の出力と前記増幅部の出力から前記キャリア毎の信頼性値を算出するブランチ毎の信頼性値算出部と、
前記信頼性値算出部で算出された信頼性値に従って、キャリア毎にキャリアの選択又は重み付け合成するキャリア選択・合成部と、を具備することを特徴とするダイバーシティ受信装置。
【請求項２６】
周波数分割多重信号を受信する２以上のブランチからなるダイバーシティ受信装置において、
前記周波数分割多重信号を選局して増幅するブランチ毎のアンプ部と、
前記アンプ部のＲＦ信号を中間周波数信号（以下、ＩＦ信号）に変換するブランチ毎のミキサ部と、
前記ミキサ部の出力するＩＦ信号を直交検波し、複素信号に変換するブランチ毎の検波部と、
前記検波部の時間軸信号を周波数軸信号に変換することにより各キャリアを出力するブランチ毎の時間周波数変換部と、
前記周波数軸変換部のキャリアに対して位相及び振幅を補正するブランチ毎の等化部と、
前記等化部の出力と前記アンプ部の出力から前記キャリア毎の信頼性値を算出するブランチ毎の信頼性値算出部と、
前記信頼性値算出部で算出された信頼性値に従って、キャリア毎にキャリアの選択又は重み付け合成するキャリア選択・合成部と、を具備することを特徴とするダイバーシティ受信装置。
【発明の詳細な説明】
【０００１】
【発明の属する技術分野】
本発明は、ＯＦＤＭの信号又は周波数分割多重の信号を２つ以上のブランチを用いて受信するＯＦＤＭダイバーシティ受信装置及びＯＦＤＭダイバーシティ受信方法に関するものである。
【０００２】
【従来の技術】
２００３年のサービス開始が予定されているデジタル地上波テレビ（ＩＳＤＢ−Ｔ）の規格においては、変調方式としてＯＦＤＭ（直交周波数分割多重）が採用されている。ＯＦＤＭは、伝送するデジタルデータで互いに直交する多数のキャリアを変調し、それらの変調波を多重して伝送する方式である。ＯＦＤＭ伝送信号には、送信波形の１部をコピーしたガード期間が設けられており、ガード期間以下のマルチパスによる受信品質の劣化を防止するという特徴を有している。
【０００３】
しかしながら現状のＯＦＤＭ受信装置では、移動受信の際に生じるドップラーシフトや、時間フェージングの影響による受信特性の劣化には完全に対応できない。一般に、劣悪な多重電波伝搬環境や移動受信環境下での受信特性の改善方法として、ダイバーシティ受信方法がある。
【０００４】
ダイバーシティ受信方法として、従来のアナログテレビ放送においては、複数の受信アンテナで受信するＲＦ（無線周波数）信号の中から、電力が最大となる受信アンテナを選択して信号を復調するというアンテナ切り替えダイバーシティ受信が主流であった。
【０００５】
これに対して、ＯＦＤＭ伝送方式を用いたデジタルテレビ放送では、従来のアンテナ切り替えダイバーシティに加えて、ＯＦＤＭ信号のキャリア単位での選択や重み付け合成を行うキャリアダイバーシティが可能である。キャリアダイバーシティは、複数のアンテナを設け、各々のブランチで個別にキャリアを復調するものである。そして個別に復調されたキャリアに関して、その電力などを基準として選択や重み付け合成等を実行する。このようなキャリアダイバーシティは、アンテナ切り替えダイバーシティよりも大きな効果を発揮することが知られている。このような例が特許文献１に開示されている。
【０００６】
【特許文献１】
特開２００１−１５６７３８号公報
【０００７】
【発明が解決しようとする課題】
しかし、上記のキャリア毎のダイバーシティを行う場合、受信状態によっては、キャリアダイバーシティを用いる方が、キャリアダイバーシティを用いない場合よりも受信特性が悪化する場合がある。例えば、２つのアンテナからなるキャリアダイバーシティでの受信中に、一方のアンテナでの受信状態が非常に悪化し、他方の受信状態が良好な場合に、受信状態が良好なアンテナのみでの受信よりも、キャリアダイバーシティを行った受信の方が受信特性が劣化する場合がある。また２つのアンテナ間での受信状態に一定以上の差異が生じた際に、キャリアダイバーシティを行う方が受信特性が劣化する場合がある。
【０００８】
これは主に次のことが原因として考えられる。キャリア毎のダイバーシティでは、ＦＦＴ後のキャリア電力などからその信頼性値を算出し、信頼性値に従って信号の選択や重み付け合成を行う。しかし、例えば２つのブランチのチューナＡ，Ｂにおいて、チューナＢに低い受信電力が続く場合には、ＡＧＣ（オート・ゲイン・コントロール）により電力の嵩上げが行われてしまう。このため、このブランチでは本来低い信頼性値が算出されるべきところが、高い信頼性値が算出されてしまう。
【０００９】
このため、一方のチューナＡでは受信電力が高くて、問題なく受信できていても、他方のチューナＢでは本来は受信電力の低いキャリア、即ち信頼性値の低いキャリアであるため、選択や重み付け合成によるキャリアダイバーシティにより、却って受信特性を悪化させてしまうと考えられる。
【００１０】
そこで上記の問題点について、従来のＯＦＤＭダイバーシティ受信装置のブロック図を参照しながら具体的に検討する。図１７はキャリア毎のダイバーシティを行う従来のＯＦＤＭダイバーシティ受信装置の構成を示すブロック図である。このＯＦＤＭダイバーシティ受信装置は、２つのアンテナ系列（ブランチ）でＯＦＤＭ信号を個別に受信し、復調されたキャリアに関してダイバーシティを行うものである。
【００１１】
ＯＦＤＭ信号１０１、１０２は、夫々アンテナ１０３、１０４に到達する信号である。チューナ１０５、１０６は選局を行う。ＡＧＣ（オート・ゲイン・コントロール）１０７、１０８は、出力振幅を制御するために夫々直交検波部（ＤＥＴ）１１１、１１２の出力に基づいてチューナ１０５、１０６の利得を制御する。ＡＧＣ１０７、１０８は、受信電力が低い場合にはチューナの利得を増加させて、逆に受信電力が高い場合にはチューナの利得を低下させる。
【００１２】
チューナ１０５、１０６の出力は夫々ＡＤＣ（アナログ・デジタル・コンバーター）１０９、１１０に与えられ、アナログ信号からデジタル信号に変換される。ＡＤＣ１０９、１１０の出力は、夫々直交検波部１１１、１１２に与えられ、直交復調が実行されて複素信号に変換される。
【００１３】
ＦＦＴ（フーリエ変換）１１３、１１４は、アンテナ１０３、１０４を介して受信した夫々のＯＦＤＭ信号を時間軸から周波数軸に変換する。ＦＦＴ後のキャリアには、通常のデータを含むデータキャリアと、一定間隔毎に挿入された分散パイロット信号（以下、ＳＰという）とが混在している。
【００１４】
等化部１１５、１１６は、ＳＰを用いて夫々のブランチの伝送路特性を推定する。等化部１１５の構成図を図２（ａ）に、等化部１１６の構成図を図２（ｂ）に示す。ＳＰはその振幅と位相が既知の信号である。このため受信側では図２の複素除算部１１５ａ、１１６ａが受信したＳＰを既知のＳＰと複素除算することにより、ＳＰ信号位置の伝送路特性を求める。補間部１１５ｂ，１１６ｂはこれを時間軸方向及び周波数軸方向に補間することにより、全キャリアの伝送路特性を求める。複素除算部１１５ｃ、１１６ｃは、補間部１１５ｂ，１１６ｂで求められた伝送路特性を用いてデータキャリアを複素除算することによりキャリアの等化を行う。
【００１５】
図１７の等化部１１５、１１６からは、等化されたキャリアと、算出された伝送路特性とが出力される。アンテナ１０３の系列（ブランチ１）における伝送路特性１１７とキャリア１１９は等化部１１５より出力される。アンテナ１０４の系列（ブランチ２）における伝送路特性１１８とキャリア１２０は等化部１１６より出力される。
【００１６】
電力算出部（Ｐ算出）１２１、１２２は、等化部１１５、１１６から夫々出力された伝送路特性を用いてキャリア毎の伝送路特性の電力を算出する。次いで平均電力算出部（Ｐａ算出）１２３、１２４は、当該算出された伝送路特性の電力を基に累積平均をとり、平均電力を算出する。この平均電力は個々のキャリアの信頼性値を算出する基準となる。
【００１７】
信頼性算出部（Ｒ算出）１２５、１２６はキャリア毎の信頼性値として、キャリア毎の伝送路特性の電力を平均電力で除算して求める。または信頼性算出部１２５、１２６は、平均電力を基準として任意の閾値を設定し、キャリア毎の伝送路特性の電力を閾値と比較して信頼性値を算出する。
【００１８】
図１８は、上述した閾値とキャリア毎の伝送路特性の電力とを比較することによる信頼性値Ｒの算出方法を示す説明図である。この図において、２０２は閾値の基準となる平均電力であり、２０３、２０４、２０５は平均電力に基づき設定された閾値である。図１８では、閾値１未満は信頼性値Ｒが１で、閾値１以上２未満は信頼性値Ｒが２、閾値２以上３未満は信頼性値Ｒが３、閾値３以上は信頼性値Ｒが４である。ここでは電力が高いほうが信頼性値が大きいとしている。
【００１９】
図１８において２０６、２０７、２０８、２０９は、個々のキャリア毎の伝送路特性電力を示している。これらは個々の電力と閾値とを比較し、信頼性値Ｒが算出されたものである。例えばキャリア２０６は信頼性値Ｒが４と算出され、以下キャリア２０７，２０８，２０９は夫々信頼性値Ｒが３、２、１と算出される。図１７の信頼性算出部１２５、１２６では、上述したように信頼性値が算出され、等化部１１５、１１６より出力されるキャリアと共に、キャリア選択・合成部（Ｃ選択合成）１２７に出力される。
【００２０】
キャリア選択・合成部１２７は、入力したブランチ１とブランチ２のキャリアに対して、その信頼性値を基に信頼性値の高いキャリアを選択し、若しくは信頼性値に従って重み付け合成を行う。これらの処理が行われたキャリアは誤り訂正部１２８に出力され、誤り訂正が行われる。
【００２１】
図１９は上記従来例において生じる問題について説明した図である。図１９に示す各ブロックには、図１７と同一の機能を有するブロックと同じ番号を付ける。ＯＦＤＭ信号の受信においては、受信電力は種々の要因で変動する。あるときにはブランチ１での受信は良好であるが、ブランチ２での受信が悪化している場合もある。またこの逆の状態もある。
【００２２】
３０１はブランチ１での受信電力のスペクトルを示しており、この場合十分な電力を有している。一方、ブランチ２での受信電力は３０２に示す通り受信電力が低い。しかし、受信電力が低い場合であっても、ＡＧＣの追従範囲であれば電力の嵩上げがなされるため、信頼性値を算出する時点では電力が高いと判断される。３０３、３０４に示すスペクトルではこの条件に当てはまる。このため、本来の受信電力が低いにも関らず信頼性値が高いと算出され、実際の受信電力を反映しない信頼性算出が行われるという問題がある。
【００２３】
図２０及び図２１は上述の信頼性値算出時の問題を示す説明図である。図２０の４０１はブランチ１での受信時と復調処理時を示している。図２１の４０２はブランチ２での受信時と復調処理時を示している。図２０の４０３はブランチ１でのアンテナでの受信状態を表しており、キャリア４０６〜４０９に示すように受信電力は高い。受信時電力が高いため、４０４に示すようにＡＧＣでの嵩上げは無く、信頼性算出部１２５での信頼性値算出結果４１４〜４１７は、アンテナでの受信電力を反映させたものとなっている。
【００２４】
一方、図２１の４０２はブランチ２の状態を表している。４１８はブランチ２でのアンテナでの受信電力を表しており、受信電力４２０は低い。しかし、４１９のキャリア４２９、４３０、４３１、４３２に示すように、上述の通りＡＧＣによる電力の嵩上げがされ、高い信頼性値が算出される。これによりブランチ１よりも受信電力の非常に低いブランチ２のキャリアにおいて、ブランチ１と同じ信頼性値が算出されるという問題が生じる。
【００２５】
このような処理による信頼性値に従えば、同じ信頼性値を有するものとして、ブランチ１のキャリアとブランチ２のキャリアが同等の比率で合成され、ダイバーシティにより特性が却って悪化する問題が生じる。
【００２６】
本発明は、このような従来の問題点に鑑みてなされたものであって、ＯＦＤＭ復調のキャリア毎の空間ダイバーシティにおいて、ＡＧＣによる電力嵩上げの結果、実際の受信電力を反映しない信頼性値算出が行われることを抑止し、Ｃ／Ｎの悪い状態においても信頼性の高いキャリアの選択や合成を行えるようにすることを目的とする。
【００２７】
【課題を解決するための手段】
本願の請求項１の発明は、複数のキャリアに周期的にパイロット信号が挿入された直交周波数分割多重（以下、ＯＦＤＭ）信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部が出力するパイロット信号及び前記ＡＧＣ部が出力するＡＧＣ値から各キャリアの信頼性値を算出するブランチ毎の信頼性値算出部と、前記信頼性値算出部の信頼性値に従って、キャリア毎にキャリアの選択又は重み付け合成するキャリア選択・合成部と、を具備することを特徴とするものである。
【００２８】
本願の請求項２の発明は、複数のキャリアに周期的にパイロット信号が挿入された直交周波数分割多重（以下、ＯＦＤＭ）信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部が出力するパイロット信号から各キャリアの信頼性値を算出するブランチ毎の信頼性値算出部と、前記ＡＧＣ部のＡＧＣ値により、前記信頼性値算出部で算出された信頼性値を補正する信頼性値補正部と、前記信頼性値補正部の補正信頼性値に従って、キャリア毎にキャリアの選択又は重み付け合成するキャリア選択・合成部と、を具備することを特徴とするものである。
【００２９】
本願の請求項３の発明は、請求項２のダイバーシティ受信装置において、前記信頼性値補正部は、前記ブランチ毎に前記ＡＧＣ部のＡＧＣ値及び前記信頼性値算出部の信頼性値を所定の補正テーブルに入力し、前記補正テーブルに基づいて前記信頼性値を補正することを特徴とするものである。
【００３０】
本願の請求項４の発明は、請求項２又は３のダイバーシティ受信装置において、前記信頼性値補正部は、前記ＡＧＣ部のＡＧＣ値から判断される受信電力が所定の基準値より低いブランチのキャリアに対しては、当該キャリアの信頼性値を０に消失させる補正を行うことを特徴とするものである。
【００３１】
本願の請求項５の発明は、複数のキャリアに周期的にパイロット信号が挿入されたＯＦＤＭ信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対してパイロット信号を用いて等化すると共に、キャリアの伝送路特性を推定するブランチ毎の等化部と、前記等化部が出力するパイロット信号から前記各キャリアの信頼性値を算出するブランチ毎の信頼性値算出部と、前記ＡＧＣ部のＡＧＣ値から受信電力が所定の基準値より低いと判断されるブランチのキャリアを除外し、前記受信電力が所定の基準値以上の場合はキャリア毎にキャリアの選択又は重み付け合成をするキャリア選択・合成部と、を具備することを特徴とするものである。
【００３２】
本願の請求項６の発明は、複数のキャリアに周期的にパイロット信号が挿入されたＯＦＤＭ信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対してパイロット信号を用いて等化すると共に、キャリアの伝送路特性を推定するブランチ毎の等化部と、ブランチ毎の前記ＡＧＣ値を比較し、ＡＧＣ値の差分値を出力する比較部と、前記等化部が出力するパイロット信号、及び前記比較部の出力するＡＧＣ値の差分値に基づいて各キャリアの信頼性値を算出するブランチ毎の信頼性値算出部と、前記信頼性値算出部の信頼性値に従って、キャリア毎にキャリアの選択又は重み付け合成するキャリア選択・合成部と、を具備することを特徴とするものである。
【００３３】
本願の請求項７の発明は、複数のキャリアに周期的にパイロット信号が挿入されたＯＦＤＭ信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対してパイロット信号を用いて等化すると共に、キャリアの伝送路特性を推定するブランチ毎の等化部と、前記ブランチ毎のＡＧＣ値を比較し、前記ＡＧＣ値の差分値が所定の閾値以上であるか否かを比較して比較結果を出力する比較部と、前記等化部の出力するパイロット信号を用いて各キャリアの信頼性値を算出する信頼性値算出部と、前記比較部の比較結果に基づいて前記ＡＧＣ差分値で前記信頼性値算出部の信頼性値を補正する信頼性値補正部と、前記信頼性補正部の補正信頼性値に従って、キャリア毎にキャリアの選択又は重み付け合成するキャリア選択・合成部と、を具備することを特徴とするものである。
【００３４】
本願の請求項８の発明は、請求項７のダイバーシティ受信装置において、前記信頼性値補正部は、前記比較部から出力された前記ＡＧＣ値の差分値及び前記信頼性値算出部の出力を所定の補正テーブルに入力し、前記補正テーブルに基づいて前記信頼性値を補正することを特徴とするものである。
【００３５】
本願の請求項９の発明は、請求項７又は８のダイバーシティ受信装置において、前記信頼性値補正部は、前記比較部から出力された前記ＡＧＣ値の差分値が所定の閾値以上の場合に、相対的に受信電力の低いブランチの信頼性値を０に消失させる補正を行うことを特徴とするものである。
【００３６】
本願の請求項１０の発明は、複数のキャリアに周期的にパイロット信号が挿入されたＯＦＤＭ信号を受信する２以上のブランチからなるダイバーシティ受信装置であって、前記ＯＦＤＭ信号を受信するチューナの利得を制御すると共に、利得制御におけるＡＧＣ値を出力するブランチ毎のＡＧＣ部と、前記チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対してパイロット信号を用いて等化すると共に、キャリアの伝送路特性を推定するブランチ毎の等化部と、前記ブランチ毎のＡＧＣ値を比較し、ＡＧＣ値の差分値が所定の閾値以上であるか否かを比較し、比較結果を出力する比較部と、前記等化部が出力するパイロット信号から前記各キャリアの信頼性値を算出するブランチ毎の信頼性値算出部と、前記比較部で出力された前記ＡＧＣ値の差分値が所定の閾値以上と判定された場合に、相対的に受信電力の低いブランチのキャリアを除外し、前記差分値が所定の閾値未満の場合には、前記信頼性値算出部の信頼性値を用いてキャリアの選択又は重み付け合成を行うキャリア選択・合成部と、を具備することを特徴とするものである。
【００３７】
本願の請求項１１の発明は、複数のキャリアに周期的にパイロット信号が挿入されたＯＦＤＭ信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部の出力するキャリアを用いてＣ／Ｎ値を算出するブランチ毎のＣ／Ｎ算出部と、前記等化部の出力するパイロット信号、及び前記Ｃ／Ｎ算出部の出力するＣ／Ｎ値を用いて各キャリアの信頼性値を算出するブランチ毎の信頼性値算出部と、前記信頼性値算出部の信頼性値に従ってキャリア毎にキャリアの選択又は重み付け合成をするキャリア選択・合成部と、を具備することを特徴とするものである。
【００３８】
本願の請求項１２の発明は、複数のキャリアに周期的にパイロット信号が挿入された直交周波数分割多重（以下、ＯＦＤＭ）信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部の出力するキャリアを用いてＣ／Ｎ値を算出するブランチ毎のＣ／Ｎ算出部と、前記等化部の出力するパイロット信号を用いて各キャリアの信頼性値を算出するブランチ毎の信頼性値算出部と、前記Ｃ／Ｎ算出部のＣ／Ｎ値に基づいて前記信頼性値算出部の信頼性値を補正する信頼性値補正部と、前記信頼性値補正部の補正信頼性値に従って、キャリア毎にキャリアの選択又は重み付け合成をするキャリア選択・合成部と、を具備することを特徴とするものである。
【００３９】
本願の請求項１３の発明は、請求項１２のダイバーシティ受信装置において、前記信頼性値補正部は、前記Ｃ／Ｎ算出部のＣ／Ｎ値、及び前記信頼性値算出部の信頼性値を所定の補正テーブルに入力し、前記補正テーブルに従って前記信頼性値を補正することを特徴とするものである。
【００４０】
本願の請求項１４の発明は、請求項１２又は１３のダイバーシティ受信装置において、前記信頼性値補正部は、前記Ｃ／Ｎ値が所定の基準値より低いブランチの信頼性値を０に消失させる補正を行うことを特徴とするものである。
【００４１】
本願の請求項１５の発明は、複数のキャリアに周期的にパイロット信号が挿入されたＯＦＤＭ信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部の出力するキャリアを用いてＣ／Ｎ値を算出するブランチ毎のＣ／Ｎ算出部と、前記等化部の出力するパイロット信号を用いて各キャリアの信頼性値を算出するブランチ毎の信頼性値算出部と、前記Ｃ／Ｎ算出部で算出されたＣ／Ｎ値が所定の基準値より低いブランチのキャリアを除外し、前記Ｃ／Ｎ値が所定の基準値より高い場合には、前記信頼性値算出部の信頼性値に従ってキャリア毎にキャリアの選択又は重み付け合成をするキャリア選択・合成部と、を具備することを特徴とするものである。
【００４２】
本願の請求項１６の発明は、複数のキャリアに周期的にパイロット信号が挿入されたＯＦＤＭ信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対してパイロット信号を用いて等化すると共に、キャリアの伝送路特性を推定するブランチ毎の等化部と、前記等化部の出力するキャリアを用いてＣ／Ｎ値を算出するブランチ毎のＣ／Ｎ算出部と、ブランチ毎の前記Ｃ／Ｎ値を比較し、Ｃ／Ｎ値の差分値を出力する比較部と、前記等化部が出力するパイロット信号、及び前記比較部の出力するＣ／Ｎ値の差分値に基づいて各キャリアの信頼性値を算出するブランチ毎の信頼性値算出部と、前記信頼性値算出部の信頼性値に従って、キャリア毎にキャリアの選択又は重み付け合成するキャリア選択・合成部と、を具備することを特徴とするものである。
【００４３】
本願の請求項１７の発明は、複数のキャリアに周期的にパイロット信号が挿入されたＯＦＤＭ信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部の出力するキャリアを用いてＣ／Ｎ値を算出するブランチ毎のＣ／Ｎ算出部と、前記Ｃ／Ｎ算出部の出力を用いてブランチ毎のＣ／Ｎ値を比較する比較部と、前記等化部の出力するパイロット信号を用いて前記各キャリアの信頼性値を算出するブランチ毎の信頼性値算出部と、前記比較部によりＣ／Ｎ差分値が閾値を越えると判定された場合には、前記信頼性値算出部により算出された前記信頼性値を前記Ｃ／Ｎ差分値を用いて補正する信頼性値補正部と、前記信頼性値補正部の補正信頼性値に従って、キャリア毎にキャリアの選択又は重み付け合成をするキャリア選択・合成部と、を具備することを特徴とするものである。
【００４４】
本願の請求項１８の発明は、請求項１６のダイバーシティ受信装置において、前記信頼性値補正部は、前記Ｃ／Ｎ算出部で得られたＣ／Ｎ差分値及び前記信頼性値算出部の出力を所定の補正テーブルに入力し、前記補正テーブルに従って前記信頼性値を補正することを特徴とするものである。
【００４５】
本願の請求項１９の発明は、請求項１７又は１８のダイバーシティ受信装置において、前記信頼性値補正部は、前記Ｃ／Ｎ値が相対的に悪いブランチの信頼性値を０に消失させる補正を行うことを特徴とするものである。
【００４６】
本願の請求項２０の発明は、複数のキャリアに周期的にパイロット信号が挿入されたＯＦＤＭ信号を受信する２以上のブランチからなるダイバーシティ受信装置であって、チューナで得られたＯＦＤＭ信号を直交検波するブランチ毎の直交検波部と、前記直交検波部で得られた直交検波出力を高速フーリエ変換により、時間領域から周波数領域へ変換することでパイロット信号を含む各キャリアを出力するブランチ毎の高速フーリエ変換部と、前記高速フーリエ変換部で得られた各キャリアに対して前記パイロット信号を用いて等化すると共に、キャリアの伝送路特性を推定するブランチ毎の等化部と、前記等化部の出力するパイロット信号を用いて各キャリアの信頼性値を算出するブランチ毎の信頼性値算出部と、前記等化部の出力するキャリアを用いてＣ／Ｎ値を算出するブランチ毎のＣ／Ｎ算出部と、前記Ｃ／Ｎ算出部の出力からブランチ毎のＣ／Ｎ値を比較する比較部と、前記比較部により前記Ｃ／Ｎ差分値が閾値以上と判定された場合には、所定の基準値より相対的にＣ／Ｎ値の悪いブランチのキャリアを除外し、前記Ｃ／Ｎ差分値が閾値未満の場合には、前記信頼性値算出部の信頼性値に従ってキャリア毎にキャリアの選択又は重み付け合成をするキャリア選択・合成部と、を具備することを特徴とするものである。
【００４７】
本願の請求項２１の発明は、複数のキャリアに周期的にパイロット信号が挿入されたＯＦＤＭ信号を受信する２以上のブランチからなるダイバーシティ受信方法であって、前記ＯＦＤＭ信号を受信するチューナのゲインをコントロールするＡＧＣ信号をブランチ毎に出力し、前記ＯＦＤＭ信号をブランチ毎に直交検波し、前記直交検波出力を高速フーリエ変換によりブランチ毎に時間領域から周波数領域へ変換し、前記高速フーリエ変換により得られたパイロット信号を含むキャリアをブランチ毎に等化し、前記パイロット信号からブランチ毎に各キャリアの信頼性値を算出し、前記ＡＧＣ信号に基づいてブランチ毎に前記信頼性値を補正し、前記補正された信頼性値に従ってキャリアを選択又は重み付け合成するキャリア選択・合成を行うことを特徴とするものである。
【００４８】
本願の請求項２２の発明は、複数のキャリアに周期的にパイロット信号が挿入されたＯＦＤＭ信号を受信する２以上のブランチからなるダイバーシティ受信方法であって、前記ＯＦＤＭ信号を受信するチューナのゲインをコントロールするＡＧＣ信号をブランチ毎に出力し、前記ＯＦＤＭ信号をブランチ毎に直交検波し、前記直交検波出力を高速フーリエ変換によりブランチ毎に時間領域から周波数領域へ変換し、前記高速フーリエ変換により得られたパイロット信号を含むキャリアをブランチ毎に等化し、前記パイロット信号からブランチ毎に各キャリアの信頼性値を算出し、前記ＡＧＣ信号を比較し、比較結果が所定の閾値以上であるか否かを判定し、前記比較結果が閾値以上の場合に前記信頼性値を前記ＡＧＣ信号に基づいてブランチ毎に補正し、前記補正された信頼性値に従ってキャリアを選択又は重み付け合成するキャリア選択・合成を行うことを特徴とするものである。
【００４９】
本願の請求項２３の発明は、複数のキャリアに周期的にパイロット信号が挿入されたＯＦＤＭ信号を受信する２以上のブランチからなるダイバーシティ受信方法であって、前記ＯＦＤＭ信号をブランチ毎に直交検波し、前記直交検波出力を高速フーリエ変換によりブランチ毎に時間領域から周波数領域へ変換し、前記高速フーリエ変換により得られたパイロット信号を含むキャリアをブランチ毎に等化し、前記パイロット信号からブランチ毎に各キャリアの信頼性値を算出し、前記等化出力からＣ／Ｎ値をブランチ毎に算出し、前記Ｃ／Ｎ値で前記信頼性値をブランチ毎に補正し、前記補正された信頼性値に従ってキャリアを選択又は重み付け合成するキャリア選択・合成を行うことを特徴とするものである。
【００５０】
本願の請求項２４の発明は、複数のキャリアに周期的にパイロット信号が挿入されたＯＦＤＭ信号を受信する２以上のブランチからなるダイバーシティ受信方法であって、前記ＯＦＤＭ信号をブランチ毎に直交検波し、前記直交検波出力を高速フーリエ変換によりブランチ毎に時間領域から周波数領域へ変換し、前記高速フーリエ変換により得られたパイロット信号を含むキャリアをブランチ毎に等化し、前記パイロット信号からブランチ毎に各キャリアの信頼性値を算出し、前記等化出力からＣ／Ｎ値をブランチ毎に算出し、各ブランチの前記Ｃ／Ｎ値を比較し、前記比較結果が所定の閾値を超えるか否かを判定すると共に、前記閾値を越える場合に前記信頼性値を前記比較結果によりブランチ毎に補正し、前記補正された信頼性値に従ってキャリアを選択又は重み付け合成するキャリア選択・合成を行うことを特徴とするものである。
【００５１】
本願の請求項２５の発明は、周波数分割多重信号を受信する２以上のブランチからなるダイバーシティ受信装置において、前記周波数分割多重信号を増幅するブランチ毎の増幅部と、前記増幅部の周波数分割多重信号に含まれる複数のキャリアを抽出するブランチ毎の変換部と、前記変換部の出力を検波するブランチ毎の復調部と、前記復調部の出力と前記増幅部の出力から前記キャリア毎の信頼性値を算出するブランチ毎の信頼性値算出部と、前記信頼性値算出部で算出された信頼性値に従って、キャリア毎にキャリアの選択又は重み付け合成するキャリア選択・合成部と、を具備することを特徴とするものである。
【００５２】
本願の請求項２６の発明は、周波数分割多重信号を受信する２以上のブランチからなるダイバーシティ受信装置において、前記周波数分割多重信号を選局して増幅するブランチ毎のアンプ部と、前記アンプ部のＲＦ信号を中間周波数信号（以下、ＩＦ信号）に変換するブランチ毎のミキサ部と、前記ミキサ部の出力するＩＦ信号を直交検波し、複素信号に変換するブランチ毎の検波部と、前記検波部の時間軸信号を周波数軸信号に変換することにより各キャリアを出力するブランチ毎の時間周波数変換部と、前記周波数軸変換部のキャリアに対して位相及び振幅を補正するブランチ毎の等化部と、前記等化部の出力と前記アンプ部の出力から前記キャリア毎の信頼性値を算出するブランチ毎の信頼性値算出部と、前記信頼性値算出部で算出された信頼性値に従って、キャリア毎にキャリアの選択又は重み付け合成するキャリア選択・合成部と、を具備することを特徴とするものである。
【００５３】
【発明の実施の形態】
以下、本発明の各実施の形態におけるＯＦＤＭダイバーシティ受信装置及びＯＦＤＭダイバーシティ受信方法について説明する。
【００５４】
（実施の形態１）
図１は本発明の実施の形態１におけるＯＦＤＭダイバーシティ受信装置の構成を示すブロック図であり、図１７に示すものと同一ブロックは同一の符号を付けて説明する。また等化部１１５、１１６は図２に示すものと同一である。以下では、ＡＧＣ１０７、１０８の出力であるＡＧＣ値が大きいほうが、受信電力が高いとして説明する。実施の形態１では、前述した問題を解決するために、ＡＧＣ１０７、１０８の出力に基づいて信頼性算出部（Ｒ算出）１２５Ａ、１２６Ａにおける算出結果を補正する。
【００５５】
信号５０１はブランチ１のＡＧＣ１０７の出力するＡＧＣ値であり、信号５０２はブランチ２のＡＧＣ１０８の出力するＡＧＣ値である。夫々のＡＧＣの出力は遅延部５０３、５０４を経由して信頼性算出部１２５Ａ、１２６Ａに入力される。遅延部５０３、５０４はＡＧＣ制御から信頼性算出部までの遅延時間を補うための回路である。遅延後のＡＧＣ値は、信頼性算出部１２５Ａ、１２６Ａに入力されて信頼性値の補正処理が行われる。
【００５６】
図３にＡＧＣ出力を用いた信頼性値補正処理の一例を示す。信頼性算出部１２５Ａは、除算部６０３、１次信頼性判定部６０４、ＡＧＣ値判定部６０７、補正テーブル６０９を有し、ブランチ１におけるキャリア毎の信頼性値を算出し、キャリア選択・合成部（Ｃ選択合成）１２７に出力する。ここで除算部６０３と１次信頼性判定部６０４を信頼性値算出部６０５と呼び、ＡＧＣ値判定部６０７と補正テーブル６０９を信頼性値補正部６１１と呼ぶ。
【００５７】
また信頼性算出部１２６Ａは、除算部６１４、１次信頼性判定部６１５、ＡＧＣ値判定部６１８、補正テーブル６２０を有し、ブランチ２におけるキャリア毎の信頼性値を算出し、キャリア選択・合成部１２７に出力する。ここでも除算部６１４と１次信頼性判定部６１５を信頼性値算出部６１６と呼び、ＡＧＣ値判定部６１８と補正テーブル６２０を信頼性値補正部６２２と呼ぶ。図４（ａ）は補正テーブル６０９の内容を示し、図４（ｂ）は補正テーブル６２０の内容を示す。
【００５８】
ここではブランチ１では受信電力が低く、ブランチ２で受信電力が高いとして説明する。信頼性算出部１２５Ａには各キャリア毎の伝送路特性の電力値６０１と、その伝送路特性の平均電力６０２が入力される。除算部６０３は各キャリア毎の伝送路特性の電力値６０１を平均電力６０２で除算し、その結果を１次信頼性値判定部６０４に出力する。１次信頼性値判定部６０４は、便宜的に信頼性値が１〜４の４段階の値を有するものとして、この例ではあるキャリアに関して信頼性値を「４」と算出する。
【００５９】
一方、この信頼性算出部１２５ＡにはＡＧＣ値６０６が入力されており、ＡＧＣ値判定部６０７において、受信電力の良否を段階的に判断する。便宜的にＡＧＣ値が低い場合を「１」、高い場合を「２」とする。このように２段階で判定し、ＡＧＣ値６０６は低く、判定値６０８に示すように「１」と判定されている。図４（ａ）に示す補正テーブル６０９では、行方向がＡＧＣ値判定部６０７のＡＧＣ値判定結果であり、列方向が１次信頼性値判定部６０４での１次信頼性判定結果であり、１次信頼性判定結果が補正されている。この補正テーブル６０９では１次信頼性判定結果が「４」であり、ＡＧＣ値判定結果が「１」であるので、矢印６１０で示すとおり、信頼性値は「２」に補正され、この値が補正信頼性値として出力される。ここではＡＧＣ値が低く、受信状態が悪いため、信頼性値を低減させるように補正される。補正信頼性値はキャリア選択・合成部１２７に出力される。
【００６０】
他方のブランチでも同様の処理を行う。図３において信頼性算出部１２６Ａを有するブランチ２での受信電力は良好で、ＡＧＣ値判定部６１８で「２」と判定されるものとする。信頼性値として１次信頼性判定結果がブランチ１と同じく「４」であり、ＡＧＣ判定結果が「２」であるため、図４（ｂ）に示す補正テーブル６２０に従い、補正後の信頼性値は矢印６２１で示すように「４」とされる。この補正信頼性値はキャリア選択・合成部１２７に出力される。
【００６１】
このように、ＡＧＣでの嵩上げの結果、いずれのブランチでも一旦「４」と信頼性値は算出されていたが、ＡＧＣ値の補正により受信状態を反映した信頼性値を算出できる。尚、上記で示した補正テーブルと異なる補正テーブルを用いてもよい。また、所定の基準値と比較して、著しく受信電力が低いと判断されるキャリアの信頼性値を０にして消失させる方式も考えられる。この方法でも同様の効果を得ることが可能である。上記のような補正により、実際の受信状態を反映させた信頼性値算出ができ、ダイバーシティ効果を向上することができる。
【００６２】
尚、前記の補正テーブルを用いる以外に、１次信頼性判定結果をＡＧＣ値で除算又は乗算する補正によっても同様の効果が得られる。尚、一旦算出された信頼性値を補正するのではなく、平均電力６０２とキャリア毎の伝送路特性電力６０１とから信頼性を算出する際に、ＡＧＣ値を用いて受信状態を反映した信頼性値を算出することでも同様の効果が得られる。
【００６３】
（実施の形態２）
次に本発明の実施の形態２におけるＯＦＤＭダイバーシティ受信装置について説明する。図５は実施の形態２のＯＦＤＭダイバーシティ受信装置の構成を示すブロック図である。ここでも実施の形態１と同一の機能を有するブロックは図１と同一の符号を付けて説明する。
【００６４】
本実施の形態のＯＦＤＭダイバーシティ受信装置は、各ブランチのＡＧＣ値を用いて各ブランチの信頼性値算出の補正を行うことを特徴とする。ダイバーシティでの特性劣化は、一方のブランチでの受信電力が著しく低下した場合だけでなく、２つのブランチ間での受信電力の相対的差分が著しく大きい場合にも生じる。この様な場合にも、相対的に受信レベルの低いブランチのキャリアの寄与度を低下又は消滅させるべきである。
【００６５】
従って本実施の形態では、上記ブランチ間での受信電力の差分が著しく大きい場合にも対応できるように比較部７０１を設け、比較結果をブランチ１の信頼性算出部１２５Ｂとブランチ２の信頼性算出部１２６Ｂとに与える。図５の比較部７０１は２つのブランチのＡＧＣ値を比較し、ＡＧＣ値の差分値（ＡＧＣ差分値）を算出する。そして比較部７０１は両ブランチのＡＧＣ値の差分値と所定の閾値とを比較する。比較の結果、信頼性算出部（Ｒ算出）１２５Ｂ、１２６Ｂは差分値が所定の閾値以上であれば信頼性値を補正し、閾値未満であれば信頼性値を補正しない。
【００６６】
図６は比較部７０１及び信頼性算出部１２５Ｂ、１２６Ｂの信頼性値の補正に関する機能ブロック図である。比較部７０１は差分検出部８０２、判定部８０３を有している。また信頼性算出部１２５Ｂは、信頼性値算出部として除算部８０４を有し、信頼性値補正部として補正部８０６を有している。同様に信頼性算出部１２６Ｂは信頼性値算出部として除算部８０８を有し、信頼性値補正部として補正部８１０を有している。比較部７０１は両方のブランチからＡＧＣ値を入力し、差分検出部８０２が両ブランチのＡＧＣ値の差分値を算出する。判定部８０３は差分値と閾値８０１とを比較判定する。両ブランチのＡＧＣ値の差分値が所定の閾値８０１未満の場合、判定部８０３は信頼性値の補正が不要との情報７０２、７０３を出力する。
【００６７】
差分値が所定の閾値８０１以上の場合、判定部８０３は補正必要の旨と、その差分値、ＡＧＣ値が大きいブランチを示す情報７０２、７０３を夫々信頼性算出部１２５Ｂ、１２６Ｂに出力する。信頼性算出部１２５Ｂ、１２６Ｂでは、当該伝達される情報で信頼性値を補正する。この補正では、相対的にＡＧＣ値の低いブランチの信頼性値をＡＧＣ値の差分量に応じて低下させ、相対的にＡＧＣ値の高いブランチはそのままとすることで、ＡＧＣ値の差異を信頼性値に反映させる。
【００６８】
図７は補正部８０６、８１０の動作を示す機能ブロック図である。補正部８０６には図６の除算部８０４により算出された補正前信頼性値８０５と、比較部７０１から与えられたＡＧＣ値の差分値と、ブランチ間での相対的なＡＧＣ値の高低に関する情報７０２が入力される。同様に補正部８１０には図６の除算部８０８により算出された補正前信頼性値８０９と、比較部７０１から与えられたＡＧＣ値の差分値と、ブランチ間での相対的なＡＧＣ値の高低に関する情報７０３が入力される。このＡＧＣ差分値は補正部内の補正テーブル８０６ａ、８１０ａで用いられ、ブランチ間の高低情報は補正部内のＭＵＸ（マルチプレクサ）８０６ｄ、８１０ｄで用いられる。
【００６９】
補正テーブル８０６ａ、８１０ａは、ＡＧＣ値の差分量に応じて、一旦算出された信頼性値を補正するのに用いられる。図に示すように、列方向にＡＧＣ値の差分値が配置され、行方向に補正前信頼性値が配置されている。そして比較部７０１から与えられたＡＧＣ差分値で信頼性値を補正する。ここでは、差分値がその大きさに応じて「０」、「１」、「２」と段階づけされており、差分値が「２」の時には補正前信頼性値が「１、２、３、４」のいずれをとる場合であっても、最小の「１」に補正される。このテーブルは他の値を持ったテーブルに変更することも可能である。
【００７０】
ＭＵＸ８０６ｄは補正テーブル８０６ａにより補正された信頼性値８０６ｂと補正前の信頼性値８０６ｃの何れかを選択する。またＭＵＸ８１０ｄは補正テーブル８１０ａにより補正された信頼性値８１０ｂと補正前の信頼性値８１０ｃの何れかを選択する。
【００７１】
ブランチ間のＡＧＣ値の高低に関する情報７０２，７０３に従い、相対的にＡＧＣ値の低いブランチでは補正信頼性値８０６ｂ、８１０ｂが選択され、ＡＧＣ値の相対的に高いブランチは補正前信頼性値８０６ｃ、８１０ｃが選択される。選択後の信頼性値８０６ｅ、８１０ｅは図５のキャリア選択・合成部（Ｃ選択合成）１２７に出力される。
【００７２】
以上の構成により、相対的にＡＧＣ値の低いブランチを、その差分量に応じて補正することで、実際の受信状態を反映した信頼性値を算出して、キャリア毎のダイバーシティで用いることができる。また、差分値が著しく大きい場合には、相対的にＡＧＣ値の低いブランチの信頼性値を０に消失させる方法で補正してもよい。こうすることにより、キャリアダイバーシティにおいて、受信状態の著しく悪いブランチのキャリアの悪影響を排除することができる。
【００７３】
尚、前記の補正テーブルを用いる以外に、１次信頼性判定結果をＡＧＣ値で除算又は乗算する補正によっても同様の効果が得られる。尚、一旦算出された信頼性値を補正するのではなく、平均電力６０２とキャリア毎の伝送路特性電力６０１とから信頼性を算出する際に、ＡＧＣ差分値を用いて、受信状態を反映した信頼性値を算出することでも同様の効果が得られる。
【００７４】
（実施の形態３）
次に本発明の実施の形態３におけるＯＦＤＭダイバーシティ受信装置について説明する。図８は本実施の形態３（その１）に関るＯＦＤＭダイバーシティ装置の構成を示すブロック図である。また図９は本実施の形態３（その２）に関るＯＦＤＭダイバーシティ装置の構成を示すブロック図である。本実施の形態のＯＦＤＭダイバーシティ受信装置は、ＡＧＣ値で信頼性値を補正する方式ではなく、キャリア選択、合成を行う際にＡＧＣ値を用いることを特徴とするものである。
【００７５】
まず、図８の構成を有するＯＦＤＭダイバーシティ受信装置について説明する。なお、実施の形態１，２と同一部分は同一の符号を付けて説明を省略する。信号９０１は、ＡＧＣ１０７から遅延部５０３を介してキャリア選択・合成部（Ｃ選択合成）１２７Ｃに入力されるＡＧＣ値である。同様に信号９０２は、ＡＧＣ１０８から遅延部５０４を介してキャリア選択・合成部１２７Ｃに入力されるＡＧＣ値である。
【００７６】
キャリア選択・合成部１２７Ｃでは、信頼性値に従ってキャリアの選択、合成を実行するが、入力されたＡＧＣ値から受信電力が著しく低いと判断されるブランチのキャリアについては、その信頼性値に関らず使用しない。なお、キャリア選択・合成部１２７Ｃは、ブランチが３以上あるときに、１つのブランチの受信電力が著しく低下しているとき、該当するブランチのキャリアのみを捨てて、他ブランチのキャリアでダイバーシティを実行するようにしてもよい。この場合、更なる効果を得ることができる。
【００７７】
図９は２つのブランチのＡＧＣ値を比較して、差分が著しく大きい場合に、受信電力の低いブランチのキャリアを、ダイバーシティに使用しないようにしたＯＦＤＭダイバーシティ受信装置のブロック図である。比較部１００１は両ブランチのＡＧＣ値を比較するものであり、図６の比較部７０１と同様に両ブランチのＡＧＣ値の差分値が所定の閾値を越えるか否かを判断する。比較部１００１は差分値が所定の閾値以上の場合、そのことをキャリア選択・合成部（Ｃ選択合成）１２７Ｄに通知する。キャリア選択・合成部１２７Ｄはこのような通知を受けると、相対的に受信電力の低いブランチのキャリアを選択、合成で使用しないようにする。
【００７８】
以下に、キャリア選択・合成部１２７Ｄでのキャリアの除外方法について説明する。例えば通常の処理では、２つのブランチからなるＯＦＤＭダイバーシティ受信装置では、ある対応するキャリアについて、ブランチ１の信頼性値とブランチ２の信頼性値を用いて、両方のブランチのキャリアの重み付け合成を行う。しかし、例えばブランチ１の受信電力が所定の基準値より低いと判断される場合や、相対的な差分が所定以上の場合には、２つのキャリアを合成せず、ブランチ２のキャリアのみを誤り訂正部１２８に出力する。このような処理により、受信電力の低いブランチのキャリアの寄与度を消失させることができる。
【００７９】
あるいは、キャリア毎の選択においては、受信電力の低いブランチのキャリアを選択候補の対象から除外して、他方のブランチのキャリアをそのまま誤り訂正部に出力するようにしてもよい。更に、３以上のブランチからなるＯＦＤＭダイバーシティ受信装置の場合は、１つのブランチの受信電力が所定値未満のときには、当該ブランチ以外のキャリアを用いて合成することで、更なる効果を得ることができる。以上の処理により、相対的に著しく受信電力の低いブランチのキャリアによるキャリアダイバーシティでの悪影響を回避することができる。
【００８０】
（実施の形態４）
次に本発明の実施の形態４におけるＯＦＤＭダイバーシティ受信装置について説明する。図１０は本実施の形態におけるＯＦＤＭダイバーシティ受信装置（その１）の構成を示すブロック図である。図１２は本実施の形態におけるＯＦＤＭダイバーシティ受信装置（その２）の構成を示すブロック図である。図１３は本実施の形態におけるＯＦＤＭダイバーシティ受信装置（その３）の構成を示すブロック図である。図１４は本実施の形態におけるＯＦＤＭダイバーシティ受信装置（その４）の構成を示すブロック図である。
【００８１】
これらのＯＦＤＭダイバーシティ受信装置では、いずれの受信装置であってもＣ／Ｎ値を用いて、信頼性値の補正を行ったり、受信状態の悪いブランチの排除を行う。これまで説明した実施の形態１〜３では、ＡＧＣ値により受信状態変動を判断して信頼性値の補正を行ったが、実施の形態４ではこのＣ／Ｎ値で受信状態を判断することを特徴とする。
【００８２】
前記いずれのＯＦＤＭダイバーシティ受信装置にも、Ｃ／Ｎ算出部（Ｃ／Ｎ算出）１１０１、１１０２が設けられる。Ｃ／Ｎ算出部１１０１、１１０２は、ＦＦＴ後、ＳＰを用いて等化されたキャリアの平均電力の算出によりＣ／Ｎ算出を行う。平均は例えば、１ＯＦＤＭシンボル分などの平均が考えられ、この場合には受信変動に対してリアルタイム性の高い信頼性値の補正が可能になる。あるいは数ＯＦＤＭシンボル分の平均を用いることもできる。
【００８３】
図１１にＣ／Ｎ算出の概念図を示している。１１１１は受信した信号の平均電力を示している。受信した信号は、キャリア成分１１１２とノイズ成分１１１３を含んでいる。受信した信号の平均電力はこのキャリア成分とノイズ成分の加算値であり、１１１７で表される電力になる。ここで、上述の様にキャリアのみの電力１１１６は既知であり、算出した平均電力１１１７と既知のキャリア電力１１１６との差分１１１４が結局本来のノイズ成分１１１５と同等である。平均電力１１１７と差分１１１４の比率計算からＣ／Ｎを算出することができる。尚、分散パイロット信号の変動からＣ／Ｎを算出することも可能である。
【００８４】
図１０に示すＯＦＤＭダイバーシティ受信装置（その１）において、比較部１１０３は両ブランチでのＣ／Ｎ値を比較するものであり、Ｃ／Ｎ値の差分値（Ｃ／Ｎ差分値）と所定の閾値とを比較する。比較部１１０３は比較の結果、所定の閾値を越える場合、補正必要を示す情報、差分値、Ｃ／Ｎ値の悪いブランチを指定する信号等を含む情報１１０４を信頼性算出部１２５、１２６に伝達する。
【００８５】
尚、Ｃ／Ｎ算出時と信頼性値の補正時の遅延差を補うために、適当な遅延器を挿入して遅延を調整する。但し、遅延器がない場合ても、受信変動が穏やかであれば、同様の効果を得ることができる。
【００８６】
信頼性算出部１２５、１２６は、信頼性値の補正が必要な場合、相対的にＣ／Ｎ値の悪いブランチの信頼性値に対して差分値によりその値を低減させる補正を行う。この場合、実施の形態２で説明した図７の補正部と同等の補正テーブルを用いて、Ｃ／Ｎ値の差分値に応じて補正を実行する。即ち信頼性算出部１２５、１２６は、Ｃ／Ｎ値の差分量と補正前の信頼性値のマトリックスとからなる補正テーブルを用いて補正を行う。また信頼性算出部１２５、１２６は、差分値が著しく大きい場合は信頼性値を０に消失させるようにしてもよい。これによりＣ／Ｎの著しく悪いキャリアの悪影響を排除できる。
【００８７】
尚、Ｃ／Ｎの差分値で除算又は乗算することで、信頼性値を補正することでも同様の効果が得られる。尚、一旦算出された信頼性値を補正するのではなく、平均電力とキャリア毎の伝送路特性電力とから信頼性を算出する際に、Ｃ／Ｎ値の差分値（Ｃ／Ｎ差分値）を用いて、受信状態を反映した信頼性値を算出する。この方法でも同様の効果が得られる。
【００８８】
図１２に示すＯＦＤＭダイバーシティ受信装置（その２）は、実施の形態３と同じく、Ｃ／Ｎ値の差分値が所定の閾値を越える場合、相対的にＣ／Ｎの悪いブランチのキャリアをダイバーシティで使用しないようにするものである。比較部１１０３から出力される信号１２０１は、両ブランチのＣ／Ｎ比較結果をキャリア選択・合成部（Ｃ選択合成）１２７Ｅに通知する情報である。キャリア選択・合成部１２７Ｅは、Ｃ／Ｎ値の差分値が閾値以上である通知を受けた場合、相対的にＣ／Ｎの悪いブランチのキャリアを使用しない処理を行う。キャリアを除外する処理は、実施の形態３で説明した通り、Ｃ／Ｎ値が所定の基準より悪いブランチのキャリアを重み付けに用いず、他方のブランチのキャリアをそのまま誤り訂正部に出力することである。尚、キャリア選択において、その選択候補から除外して、他方のブランチのキャリアをそのまま誤り訂正部に出力するようにしてもよい。
【００８９】
更に、３つ以上のブランチを有する場合には、相対的にＣ／Ｎ値が最も悪いブランチ以外のキャリアでダイバーシティを実行するようにしてもよい。この場合は更なる効果を得ることができる。
【００９０】
図１３に示すＯＦＤＭダイバーシティ受信装置（その３）は、各々のブランチで算出したＣ／Ｎ値の結果から、個別のブランチ毎に信頼性値補正を行うものである。実施の形態１と同じく、算出される信頼性値に実際の受信状態を反映させるため、信頼性算出部（Ｒ算出）１２５Ｆ、１２６Ｆは受信状態の指標となるＣ／Ｎ値により信頼性値を補正する。
【００９１】
信頼性算出部１２５Ｆ、１２６Ｆでの補正は、実施の形態１で説明した図４の補正テーブルと同等の補正テーブルを用いてＣ／Ｎ値の大きさに応じて実行する。即ち、Ｃ／Ｎ値を所定のレベル毎にある値に割り当て、この値と補正前信頼性値のマトリックスからなる補正テーブルで補正する。
【００９２】
また、Ｃ／Ｎ値の著しく悪いキャリアの信頼性値を０に消失させるようにしてもよい。これにより、Ｃ／Ｎの悪いキャリアの悪影響を排除できる。更に、Ｃ／Ｎ値を任意の段階値で表し、この段階値で信頼性値を除算又は乗算することで補正することもできる。この場合でも、同様の効果を得ることができる。
【００９３】
尚、一旦算出された信頼性値を補正するのではなく、平均電力とキャリア毎の伝送路特性電力とから信頼性を算出する際に、Ｃ／Ｎ値を用いて、受信状態を反映した信頼性値を算出することでも同様の効果が得られる。
【００９４】
図１４に示すＯＦＤＭダイバーシティ受信装置（その４）は、各々のブランチで算出したＣ／Ｎ値を、信頼性値の補正ではなく、キャリアダイバーシティで用いるようにしたものである。キャリア選択・合成部（Ｃ選択合成）１２７Ｇは、Ｃ／Ｎ値が所定の基準より悪いブランチについては、上記で説明した処理により、当該ブランチのキャリアを除外してダイバーシティを実行する。
【００９５】
以上のような処理によれば、受信状態の指標であるＣ／Ｎ値を用いて、実際の受信状態を反映した信頼性値を算出し、その結果をキャリア毎のダイバーシティで用いることができる。
【００９６】
（実施の形態５）
次に本発明の実施の形態５におけるＯＦＤＭダイバーシティ受信装置について説明する。図１５は実施の形態５におけるＯＦＤＭダイバーシティ受信装置の構成を示すブロック図である。ここでは２つのブランチを有している。信号１５０１、１５０２は夫々アンテナ１５０３、１５０４で受信され、周波数分割多重されたＲＦ信号である。
【００９７】
増幅部１５０５、１５０６は受信した信号を増幅する。変換部１５０７、１５０８は、増幅された信号を入力し、直交検波により複素信号に復調し、更に直交関数を用いて時間軸から周波数軸への変換を行う。こうして変換部１５０７、１５０８は周波数軸上で多重化された複数のキャリアを抽出する。
【００９８】
復調部１５０９、１５１０は、変換部１５０７、１５０８で夫々抽出されたキャリアについて、必要に応じてその位相や振幅などを補正することにより等化を行う。信頼性算出部１５１１、１５１２は、復調部１５０９、１５１０より夫々出力される等化キャリア毎に、その電力などを基準として信頼性値を算出する。
【００９９】
ここで、増幅部１５０５、１５０６により受信信号は増幅されるため、実際の受信時よりも電力が増幅されている。このため、変換部１５０７、１５０８内の検波部より出力されたキャリアの電力から、信頼性値を直接算出した場合には、その信頼性値は実際の受信電力を反映していない場合がある。このため、信頼性算出部１５１１、１５１２に対して増幅部１５０５、１５０６の増幅度の情報１５１３、１５１４を与える。信頼性算出部１５１１、１５１２はこの情報１５１３、１５１４を用いて信頼性値を補正する。
【０１００】
信頼性算出部１５１１、１５１２は、情報１５１３、１５１４に含まれる増幅度と、一旦算出された信頼性値をパラメータとした補正テーブルを用いて信頼性値を補正する。ここで用いられる補正テーブルは、図３、図４を用いて実施の形態１で説明したものと同様である。補正された信頼性値は、キャリア選択・合成部１５１５に出力され、当該信頼性値の大きいキャリアが選択されたり、信頼性値に従ってキャリア毎の重み付け合成がなされる。
【０１０１】
キャリア選択・合成部１５１５の出力は、誤り訂正部１５１６に入力され、必要な誤り訂正を施される。なお、増幅部１５０５、１５０６にはチューナやＬＮＡなどのアンプが使われることも考えられる。また変換部１５０７、１５０８では、時間領域から周波数領域への変換を行うフーリエ変換や、シンセサイザーを用いた変換により、周波数軸上に存在する複数のキャリアを抽出することも考えられる。また変換部１５０７、１５０８では、必要に応じて周波数変換が行われ、ＩＦ帯域やベースバンド帯域に変換することが行われる。
【０１０２】
信頼性算出部１５１１、１５１２では増幅部１５０５、１５０６の出力のみならず、受信した信号のＣ／Ｎを算出することで、このＣ／Ｎ値をパラメーターとした補正テーブルで信頼性値を補正することも考えられる。
【０１０３】
（実施の形態６）
次に本発明の実施の形態６におけるＯＦＤＭダイバーシティ受信装置について説明する。図１６は実施の形態６におけるＯＦＤＭダイバーシティ受信装置の構成を示すブロック図である。信号１６０１、１６０２は、夫々アンテナ１６０３、１６０４で受信される周波数分割多重信号である。アンプ１６０５、１６０６は夫々のアンテナ１６０３、１６０４で受信した信号を増幅するものであり、低ノイズのアンプであるＬＮＡなどが用いられることが多い。
【０１０４】
ミキサ１６０７、１６０８は、受信した信号の周波数をＲＦ帯域からＩＦ帯域に変換する。フィルタ１６０９、１６１０は、夫々ミキサ１６０７、１６０８の出力信号から余分な高周波成分を除去してノイズを低減させる。検波部１６１１、１６１２は、受信した信号を直交復調により複素信号に復調し、ベースバンド帯域に周波数変換を行う。
【０１０５】
時間周波数変換部（Ｔ／Ｆ変換部）１６１３、１６１４は、受信した信号が時間軸から周波数軸に変換することで、周波数軸上で多重化されている複数のキャリアを抽出する。ここでは例えば高速フーリエ変換等が用いられる。等化部１６１５、１６１６は、復調されたキャリアについてその位相や振幅を補正する。
【０１０６】
信頼性算出部（Ｒ算出）１６１７、１６１８は、キャリア毎の電力などを基準に、その信頼性値を算出する。このとき、アンプ１６０５、１６０６により電力が増幅された後の信号であるため、その電力は実際の受信状態を反映しない場合がある。このため算出される信頼性値も実際の受信状態を反映しない場合が生じ得る。このため、アンプ１６０５、１６０６の出力情報１６１９、１６２０を夫々信頼性算出部１６１７、１６１８に与え、信頼性値を補正する。
【０１０７】
ここでの補正も、実施の形態１で図３及び図４を用いて説明したように、アンプの出力をパラメーターとした補正テーブルを用いて実現される。これにより、算出される信頼性値は受信状態をより反映することができる。信頼性算出部１６１７、１６１８で補正された信頼性値はキャリア選択・合成部（Ｃ選択合成）１６２１に出力される。キャリア選択・合成部１６２１では、信頼性値の大きいキャリアを選択したり、信頼性値に従ってキャリアの重み付け合成を実行する。キャリア選択・合成部１６２１の出力は、誤り訂正部１６２２に入力され、必要な誤り訂正が施される。
【０１０８】
【発明の効果】
以上のように本発明によれば、ＡＧＣ出力を基に信頼性値を補正することで、実際の受信電力を反映した信頼性値を算出することが可能となる。そして当該補正後の信頼性値を用いたキャリア毎の選択・合成を行うことで、受信状態の悪いキャリアの悪影響を排除したキャリア毎のダイバーシティを実行することができる。
【０１０９】
また本発明によれば、複数のブランチ間での受信電力の相対的差分が著しく大きくなった場合でも、相対的に受信電力の低いブランチの信頼性値を補正することにより、実際の受信電力差を反映した信頼性値を算出することが可能となる。そして当該補正後の信頼性値を用いたキャリア毎の選択・合成を行うことで、相対的に受信状態の悪いブランチのキャリアの悪影響を排除した、キャリア毎のダイバーシティを実行することができる。
【０１１０】
また本発明によれば、受信電力の著しく低下したブランチ、若しくは相対的に著しく受信電力の低いブランチのキャリアを排除してキャリア毎の選択・合成を行うことが可能となる。そして受信電力の悪いキャリアの悪影響を排除したキャリア毎のダイバーシティを実行することができる。
【０１１１】
また本発明によれば、Ｃ／Ｎ状態に応じた信頼性値の補正により、実際の受信状態を反映した信頼性値を算出することが可能となり、当該補正後の信頼性値を用いたキャリア毎の選択・合成を行うこと、又はＣ／Ｎの悪いブランチのキャリアを排除したキャリア毎の選択・合成を行うことで、Ｃ／Ｎの悪いキャリアの悪影響を排除したダイバーシティを実行することができる。
【０１１２】
また本発明によれば、ＯＦＤＭ信号のみでなく周波数分割多重信号を受信する受信装置において、受信状態を反映させた信頼性値を算出して、キャリア毎のダイバーシティを行うことが可能となる。以上の実施の形態から、ダイバーシティの効果を向上させることができる。
【図面の簡単な説明】
【図１】本発明の実施の形態１におけるＯＦＤＭダイバーシティ受信装置の構成を示すブロック図である。
【図２】各実施の形態のＯＦＤＭダイバーシティ受信装置に用いられる等化部の構成図である。
【図３】実施の形態１での信頼性値補正の動作を示す機能ブロック図である。
【図４】実施の形態１での信頼性値補正に用いられる補正テーブルである。
【図５】本発明の実施の形態２におけるＯＦＤＭダイバーシティ受信装置の構成を示すブロック図である。
【図６】実施の形態２での信頼性値補正の動作を示す機能ブロック図である。
【図７】実施の形態２での信頼性値補正部の構成を示すブロック図である。
【図８】本発明の実施の形態３におけるＯＦＤＭダイバーシティ受信装置（その１）の構成を示すブロック図である。
【図９】実施の形態３におけるＯＦＤＭダイバーシティ受信装置（その２）の構成を示すブロック図である。
【図１０】本発明の実施の形態４におけるＯＦＤＭダイバーシティ受信装置（その１）の構成を示すブロック図である。
【図１１】実施の形態４のＯＦＤＭダイバーシティ受信装置において、Ｃ／Ｎ算出の方式を表す模式図である。
【図１２】実施の形態４におけるＯＦＤＭダイバーシティ受信装置（その２）の構成を示すブロック図である。
【図１３】実施の形態４におけるＯＦＤＭダイバーシティ受信装置（その３）の構成を示すブロック図である。
【図１４】実施の形態４におけるＯＦＤＭダイバーシティ受信装置（その４）の構成を示すブロック図である。
【図１５】本発明の実施の形態５におけるＯＦＤＭダイバーシティ受信装置の構成を示すブロック図である。
【図１６】本発明の実施の形態６におけるＯＦＤＭダイバーシティ受信装置の構成を示すブロック図である。
【図１７】従来例のＯＦＤＭダイバーシティ受信装置の構成を示すブロック図である。
【図１８】従来例のＯＦＤＭダイバーシティ受信装置において、信頼性値算出を表す模式図である。
【図１９】従来例のＯＦＤＭダイバーシティ受信装置において、ＡＧＣでの電力嵩上げの問題点を表すブロック図である。
【図２０】従来例のＯＦＤＭダイバーシティ受信装置において、ＡＧＣでの電力嵩上げにより生じる信頼性値算出の問題点を表す模式図（その１）である。
【図２１】従来例のＯＦＤＭダイバーシティ受信装置において、ＡＧＣでの電力嵩上げにより生じる信頼性値算出の問題点を表す模式図（その２）である。
【符号の説明】
１０１，１０２　到達電波（ＯＦＤＭ信号）
１０３，１０４，１５０３，１５０４，１６０３，１６０４　アンテナ
１０５，１０６　チューナ
１０７，１０８　ＡＧＣ（オート・ゲイン・コントロール）
１０９，１１０　ＡＤＣ（アナログ・デジタル・コンバータ）
１１１，１１２　直交検波部
１１３，１１４　ＦＦＴ（フーリエ変換）
１１５，１１６，１６１５，１６１６　等化部
１１５ａ，１１６ａ，１１５ｃ，１１６ｃ　複素除算部
１１５ｂ，１１６ｂ　補間部
１１７，１１８　伝送路特性
１１９，１２０　キャリア
１２１，１２２　電力算出部
１２３，１２４　平均電力算出部
１２５，１２６，１２５Ｂ，１２６Ｂ，１２５Ｆ，１２６Ｆ，１５１１，１５１２，１６１７，１６１８　信頼性算出部
１２７，１５１５，１６２１　キャリア選択・合成部
１２８　１５１６，１６２２　誤り訂正部
２０３，２０４，２０５，４１１，４１２，４１３，４２６，４２７，４２８，８０１　閾値
６１６　１次信頼性値
６０２，６１３　平均電力
５０１，５０２　ＡＧＣの情報
５０３，５０４　遅延部
６０１，６１２　キャリア電力
６０３，６１４，８０４，８０８　除算部
６０４，６１５　１次信頼性判定部
６０５，６１６　信頼性値算出部
６０６，６１７　ＡＧＣ値出力
６０７，６１８　ＡＧＣ値判定部
６０８，６１９　ＡＧＣ段階値
６０９，６２０，８０６ａ，８１０ａ　補正テーブル
６１１，６２２　信頼性値補正部
７０１，１００１，１１０３　比較部
７０２，７０３，１００２，１１０４　比較結果通知
８０２　差分検出部
８０６，８１０　補正部
８０５，８０９　補正前信頼性値
８０３　判定部
８０６ｄ，８１０ｄ　ＭＵＸ
８０７，８１１　補正信頼性値
９０１，９０２　ＡＧＣ値入力
１１０１，１１０２　Ｃ／Ｎ算出部
１１１１　キャリアとノイズ成分の合算電力
１１１２　キャリア成分電力
１１１３，１１１４　ノイズ成分電力
１１１５　ノイズ電力
１１１６　既知の電力値
１２０１，１３０１，１３０２，１４０１，１４０２　　比較結果通知
１５０１，１５０２，１６０１，１６０２　周波数分割多重信号
１５０５，１５０６　増幅部
１５０７，１５０８　変換部
１５０９，１５１０　復調部
１５１３，１５１４　増幅度の情報
１６０５，１６０６　アンプ部
１６０７，１６０８　ミキサ
１６０９，１６１０　フィルタ
１６１１，１６１２　検波部
１６１３，１６１４　時間周波数変換部
１６１９，１６２０　アンプの出力情報
【図１】
2004135120.tif 000003
【図２】
2004135120.tif 000004
【図３】
2004135120.tif 000005
【図４】
2004135120.tif 000006
【図５】
2004135120.tif 000007
【図６】
2004135120.tif 000008
【図７】
2004135120.tif 000009
【図８】
2004135120.tif 000010
【図９】
2004135120.tif 000011
【図１０】
2004135120.tif 000012
【図１１】
2004135120.tif 000013
【図１２】
2004135120.tif 000014
【図１３】
2004135120.tif 000015
【図１４】
2004135120.tif 000016
【図１５】
2004135120.tif 000017
【図１６】
2004135120.tif 000018
【図１７】
2004135120.tif 000019
【図１８】
2004135120.tif 000020
【図１９】
2004135120.tif 000021
【図２０】
2004135120.tif 000022
【図２１】
2004135120.tif 000023